(57)【特許請求の範囲】
【請求項１】
第１方向に走査可能に設けられたベース部と、
前記ベース部に取り付けられ、前記第１方向と交差すると共に前記ベース部の面方向に沿う第２方向に長くなるように形成された支持プレートを有する液体噴射ヘッドと、
前記支持プレートの前記第２方向一端側に設けられた第１係合部と、
前記ベース部に対して着脱可能な固定部材によって、前記第１方向にスライド移動可能に前記ベース部に固定されると共に、前記第１係合部と係合されており、前記ベース部に対して前記支持プレートを位置決め固定するための固定具と、
前記ベース部に向かって前記固定具を押圧する第１押圧部と、
を備え、
前記支持プレートは、前記ベース部の一面に該一面に沿って回動可能に支持されており、
前記固定具は、
前記固定部材をガイドとして前記第１方向にスライド移動可能に設けられていると共に、
前記固定具に対する前記第１係合部の前記第２方向への移動を許容しており、且つ前記固定具に対する前記第１係合部の前記第１方向への移動、および前記第１係合部の前記ベース部の厚さ方向への移動を規制している
ことを特徴とするキャリッジ。
【請求項２】
前記ベース部に着脱自在に設けられ、前記固定具の前記第１方向および前記厚さ方向の位置決めが可能な位置決めピンと、
該位置決めピン側に向かって前記固定具を押圧する第２押圧部と、
を備えていることを特徴とする請求項１に記載のキャリッジ。
【請求項３】
前記位置決めピンは、
先端に向かうに従って漸次縮径するテーパ部と、
該テーパ部の先端に設けられ、前記ベース部に該ベース部の厚さ方向に沿って螺合されるピンネジ部と、
を備え、
前記テーパ部に、前記固定具の角部が当接されることを特徴とする請求項２に記載のキャリッジ。
【請求項４】
前記第１押圧部および前記第２押圧部は、板バネによって形成されたものであり、
前記固定具は、前記位置決めピンとは反対側の側部で且つ前記ベース部とは反対側の面に形成された傾斜面を有しており、
前記第１押圧部および前記第２押圧部は、前記傾斜面に当接している
ことを特徴とする請求項３に記載のキャリッジ。
【請求項５】
請求項１〜請求項４の何れか１項に記載のキャリッジと、
前記キャリッジ上に設けられた液体噴射ヘッドと、
前記キャリッジを走査させる走査手段と、
液体を収容する液体収容体と、
前記液体噴射ヘッドと前記液体収容体との間に敷設され、前記液体を流通させる液体供給管と、
を備えたことを特徴とする液体噴射記録装置。
【発明の詳細な説明】
【技術分野】
【０００１】
この発明は、キャリッジおよび液体噴射記録装置に関するものである。
【背景技術】
【０００２】
従来から、インクを吐出する複数のノズル孔を有する液体噴射ヘッド（インクジェットヘッド）を用いて被記録媒体に文字や画像を記録する液体噴射記録装置が知られている。液体噴射記録装置は、一方向を走査方向とするプレート状のキャリッジを備えており、このキャリッジ上に液体噴射ヘッドが取り付けられている。液体噴射ヘッドは、被記録媒体と対向するように設けられたノズルプレートを備えている。このノズルプレートに、一方向と直交する他方向に並ぶように複数のノズル孔が形成されている。
【０００３】
ここで、キャリッジに対する液体噴射ヘッド（ノズル孔）の取り付け位置精度は、そのまま被記録媒体に記録される画像や文字の品質に影響する。このため、キャリッジに対する液体噴射ヘッドの位置決めを行うためのさまざまな技術が開示されている。
例えば、キャリッジに対して回動および係合することで、液体噴射ヘッドを着脱可能に固定するレバーを備えた技術が開示されている（例えば、特許文献１参照）。これによれば、レバーの回動動作および係合動作に伴って、液体噴射ヘッドがキャリッジに対して、一方向、他方向、およびこれら一方向と他方向とに直交する高さ方向（キャリッジの厚さ方向）に位置決めできる。
【先行技術文献】
【特許文献】
【０００４】
【特許文献１】特開２０１０−１３１８５３号公報
【発明の概要】
【発明が解決しようとする課題】
【０００５】
しかしながら、上述の従来技術にあっては、一方向、他方向、および高さ方向の位置決めがそれぞれ独立しているので、例えば、一方向および他方向の２方向の位置決めを維持しつつ、高さ方向だけを調整することができない。このため、キャリッジに対する液体噴射ヘッドの位置調整を高精度に行いにくいという課題がある。
【０００６】
そこで、この発明は、上述した事情に鑑みてなされたものであって、液体噴射ヘッドの位置決めを、容易且つ高精度に行うことができるキャリッジおよび液体噴射記録装置を提供するものである。
【課題を解決するための手段】
【０００７】
上記の課題を解決するために、本発明に係るキャリッジは、第１方向に走査可能に設けられたベース部と、前記ベース部に取り付けられ、前記第１方向と交差すると共に前記ベース部の面方向に沿う第２方向に長くなるように形成された支持プレートを有する液体噴射ヘッドと、前記支持プレートの前記第２方向一端側に設けられた第１係合部と、前記ベース部に対して着脱可能な固定部材によって、前記第１方向にスライド移動可能に前記ベース部に固定されると共に、前記第１係合部と係合されており、前記ベース部に対して前記支持プレートを位置決め固定するための固定具と、前記ベース部に向かって前記固定具を押圧する第１押圧部と、を備え、前記支持プレートは、前記ベース部の一面に該一面に沿って回動可能に支持されており、前記固定具は、前記固定部材をガイドとして前記第１方向にスライド移動可能に設けられていると共に、前記固定具に対する前記第１係合部の前記第２方向への移動を許容しており、且つ前記固定具に対する前記第１係合部の前記第１方向への移動、および前記第１係合部の前記ベース部の厚さ方向への移動を規制していることを特徴とする。
【０００８】
このように構成することで、例えば固定部材としてネジを採用する場合、このネジを仮締めした状態で固定具を第１方向にスライド移動させ、液体噴射ヘッドの第１方向を位置決めできる。この際、ネジが仮締め状態であるので、固定具が僅かに浮き上がろうとするが、第１押圧部によって固定具が押さえ付けられるので、液体噴射ヘッドの厚さ方向（ベース部の厚さ方向、以下、単に厚さ方向という）の位置決めもできる。そして、第１方向および厚さ方向の２方向の位置決めを維持しつつ、液体噴射ヘッドの第２方向の位置調整を行うことができる。このため、液体噴射ヘッドの位置決めを、容易且つ高精度に行うことができる。
【０００９】
本発明に係るキャリッジは、前記ベース部に着脱自在に設けられ、前記固定具の前記第１方向および前記厚さ方向の位置決めが可能な位置決めピンと、該位置決めピン側に向かって前記固定具を押圧する第２押圧部と、を備えていることを特徴とする。
【００１０】
このように、位置決めピンと第２押圧部とを用いることにより、固定具の第１方向および厚さ方向の位置決めを、より容易に行うことができる。
【００１１】
本発明に係るキャリッジにおいて、前記位置決めピンは、先端に向かうに従って漸次縮径するテーパ部と、該テーパ部の先端に設けられ、前記ベース部に該ベース部の厚さ方向に沿って螺合されるピンネジ部と、を備え、前記テーパ部に、前記固定具の角部が当接されることを特徴とする。
【００１２】
テーパ部に固定具の角部が当接されると、固定具に、第１方向および厚さ方向の２方向への分力が作用する。このように、位置決めピンを簡素な構造にしつつ、この位置決めピンによって、固定具の第１方向および厚さ方向の位置決めを行うことができる。
【００１３】
本発明に係るキャリッジにおいて、前記第１押圧部および前記第２押圧部は、板バネによって形成されたものであり、前記固定具は、前記位置決めピンとは反対側の側部で且つ前記ベース部とは反対側の面に形成された傾斜面を有しており、前記第１押圧部および前記第２押圧部は、前記傾斜面に当接していることを特徴とする。
【００１４】
このように構成することで、第１押圧部および第２押圧部を一体化でき、且つ簡素な構造とすることができる。このため、安価なキャリッジを提供できる。
【００１５】
本発明に係る液体噴射記録装置は、上記に記載のキャリッジと、前記キャリッジ上に設けられた液体噴射ヘッドと、前記キャリッジを走査させる走査手段と、液体を収容する液体収容体と、前記液体噴射ヘッドと前記液体収容体との間に敷設され、前記液体を流通させる液体供給管と、を備えたことを特徴とする。
【００１６】
このように構成することで、液体噴射ヘッドの位置決めを、容易且つ高精度に行うことが可能な液体噴射記録装置を提供できる。
【発明の効果】
【００１７】
本発明によれば、例えば固定部材としてネジを採用する場合、このネジを仮締めした状態で固定具を第１方向にスライド移動させ、液体噴射ヘッドの第１方向を位置決めできる。この際、ネジが仮締め状態であるので、固定具が僅かに浮き上がろうとするが、第１押圧部によって固定具が押さえ付けられるので、液体噴射ヘッドの厚さ方向（ベース部の厚さ方向、以下、単に厚さ方向という）の位置決めもできる。そして、第１方向および厚さ方向の２方向の位置決めを維持しつつ、液体噴射ヘッドの第２方向の位置調整を行うことができる。このため、液体噴射ヘッドの位置決めを、容易且つ高精度に行うことができる。
【図面の簡単な説明】
【００１８】
【図１】本発明の実施形態における液体噴射記録装置の斜視図である。
【図２】本発明の実施形態におけるキャリッジに液体噴射ヘッドを１つ取り付けた状態を示す斜視図である。
【図３】本発明の実施形態における液体噴射ヘッドの斜視図である。
【図４】本発明の実施形態におけるキャリッジのベースプレートの斜視図である。
【図５】本発明の実施形態における固定具を斜め上方からみた斜視図である。
【図６】図５のＡ矢視図である。
【図７】本発明の実施形態における固定具を斜め下方からみた斜視図である。
【図８】本発明の実施形態における固定具をＺ方向上方からみた平面図である。
【図９】本発明の実施形態におけるキャリッジに固定具、治具を介して液体噴射ヘッドを取り付けた状態を示す斜視図である。
【図１０】本発明の実施形態における治具を斜め上方からみた斜視図である。
【図１１】本発明の実施形態における治具を斜め下方からみた斜視図である。
【図１２】本発明の実施形態における治具をＺ方向上方からみた平面図である。
【図１３】本発明の実施形態におけるベースプレートへの液体噴射ヘッドの基準の固定方法を示す斜視図である。
【図１４】図１３のＢ矢視図である。
【図１５】本発明の実施形態における基準ピンの斜視図である。
【図１６】本発明の実施形態におけるベースプレートへの液体噴射ヘッドのθ調整方法を示す説明図である。
【図１７】本発明の実施形態におけるベースプレートへの液体噴射ヘッドのＹ方向の調整方法を示す説明図である。
【発明を実施するための形態】
【００１９】
以下、本発明に係る実施形態について図面を参照して説明する。なお、以下の実施形態では、液体としてインクを噴射することにより、被記録媒体に記録を行う液体噴射記録装置（液体噴射記録装置）を例に挙げて説明する。
【００２０】
（液体噴射記録装置）
図１は、液体噴射記録装置１の斜視図である。
液体噴射記録装置１は、いわゆるインクジェットプリンタであって、紙等の被記録媒体Ｓを搬送する一対の搬送機構２，３と、被記録媒体Ｓにインク滴を噴射する液体噴射ヘッド４と、液体噴射ヘッド４にインクを供給する液体供給手段５と、液体噴射ヘッド４を被記録媒体Ｓの搬送方向（主走査方向）と略直交する方向（副走査方向）に走査させる走査手段６と、を備えている。
【００２１】
なお、以下の説明において、副走査方向をＸ方向、主走査方向をＹ方向、そしてＸ方向、およびＹ方向に共に直交する方向をＺ方向として説明する。ここで、液体噴射記録装置１は、Ｘ方向、Ｙ方向が水平方向となるように、かつＺ方向が重力方向上下方向となるように載置して使用されるようになっている。
すなわち、液体噴射記録装置１を載置した状態では、被記録媒体Ｓ上を液体噴射ヘッド４が水平方向（Ｘ方向、Ｙ方向）に沿って走査するように構成されている。また、この液体噴射ヘッド４から重力方向下方（Ｚ方向下方）に向かってインク滴が噴射され、このインク滴が被記録媒体Ｓに着弾するように構成されている。
【００２２】
一対の搬送機構２，３は、それぞれＸ方向に延びて設けられたグリッドローラ２０，２１と、グリッドローラ２０，２１のそれぞれに平行に延びるピンチローラ２２，２３と、詳細は図示しないがグリッドローラ２０，２１を軸回りに回転動作させるモータ等の駆動機構と、を備えている。
【００２３】
液体供給手段５は、インクが収容された液体収容体２５と、液体収容体２５と液体噴射ヘッド４とを接続する液体供給管２６と、を備えている。液体収容体２５は、複数設けられており、例えば、イエロー、マゼンタ、シアン、ブラックの４種類のインクが収容されたインクタンク２５Ｙ，２５Ｍ，２５Ｃ，２５Ｋが並べて設けられている。インクタンク２５Ｙ，２５Ｍ，２５Ｃ，２５ＫのそれぞれにはポンプモータＭが設けられており、インクを、液体供給管２６を通じて液体噴射ヘッド４へ押圧移動できる。液体供給管２６は、液体噴射ヘッド４を支持するキャリッジ６２の動作に対応可能な可撓性を有するフレキシブルホースから成る。
【００２４】
なお、液体収容体２５は、イエロー、マゼンタ、シアン、ブラックの４種類のインクが収容されたインクタンク２５Ｙ，２５Ｍ，２５Ｃ，２５Ｋに限られるものではなく、さらに多色のインクを収容したインクタンクを備えていてもよい。
【００２５】
走査手段６は、Ｘ方向に延びて設けられた一対のガイドレール６０，６１と、一対のガイドレール６０，６１に沿って摺動可能なキャリッジ６２と、キャリッジ６２をＸ方向に移動させる駆動機構６３と、を備えている。駆動機構６３は、一対のガイドレール６０，６１の間に配設された一対のプーリ６４，６５と、一対のプーリ６４，６５間に巻回された無端ベルト６６と、一方のプーリ６４を回転駆動させる駆動モータ６７と、を備えている。
【００２６】
一対のプーリ６４，６５は、一対のガイドレール６０，６１の両端部間にそれぞれ配設されており、Ｘ方向に間隔をあけて配置されている。無端ベルト６６は、一対のガイドレール６０，６１間に配設されており、この無端ベルト６６に、キャリッジ６２が連結されている。
【００２７】
キャリッジ６２には、複数の液体噴射ヘッド４が取り付けられている。本実施形態では、イエロー（Ｙ）、マゼンタ（Ｍ）、シアン（Ｃ）、ブラック（Ｋ）の各インクをそれぞれ噴射する４つの液体噴射ヘッド４、すなわち液体噴射ヘッド４Ｙ、４Ｍ、４Ｃ、４Ｋがキャリッジ６２に取り付けられている。各液体噴射ヘッド４Ｙ，４Ｍ，４Ｃ，４Ｋは、供給されるインクの色以外は何れも同一の構成からなるため、以下の説明では、まとめて液体噴射ヘッド４として説明する。
【００２８】
（液体噴射ヘッド）
図２は、キャリッジ６２に液体噴射ヘッド４を１つ取り付けた状態を示す斜視図、図３は、液体噴射ヘッド４の斜視図である。なお、キャリッジ６２には、実際は４つの液体噴射ヘッド４が取付られるが、説明を分かり易くするために、１つだけ液体噴射ヘッド４を取り付けた状態を示している（以下に用いる図についても同様）。
図２、図３に示すように、液体噴射ヘッド４は、Ｚ方向の下部にインク滴を吐出するヘッドチップ７０を備え、且つこのヘッドチップ７０のＺ方向の上部にヘッド本体７１を備え、全体としてＹ方向に長い略直方体状になっている。
【００２９】
ヘッドチップ７０は、Ｙ方向に長い略直方体状のアクチュエータプレートと、このアクチュエータプレートのＺ方向下端面に設けられたノズルプレート（何れも不図示）等により構成されている。アクチュエータプレートは、ＰＺＴ（チタン酸ジルコン酸鉛）等の圧電材料で形成されたプレートでありインクを充填可能な複数のチャネルを有している。各チャネルは、Ｙ方向に所定の間隔をあけて形成されている。
【００３０】
ノズルプレートは、ポリイミドや金属等のフィルム材からなるシート状とされている。ノズルプレートには、各チャネルに連通する複数のノズル孔が形成されている。すなわち、各ノズル孔は、Ｙ方向に所定の間隔をあけて並ぶように形成されている。
そして、アクチュエータプレートに所望の駆動電圧を印加すると各チャネルの容積が変化し、これによって、各ノズル孔からインクが吐出される。
【００３１】
ヘッド本体７１は、液体供給管２６（図１参照）が接続された流体流通部や、ヘッドチップ７０に所望の駆動電圧を印加するための制御部（何れも不図示）等を有している。そして、液体供給管２６から流入されるインクが、液体流通部を通ってヘッドチップ７０に供給される。液体流通部は、圧力緩衝器として機能しており、液体供給管２６を介してインクが供給されると、インクを内部の貯留室内に一旦貯留した後、所定量のインクをヘッドチップ７０に供給する。
【００３２】
このような構成のもと、図１、図２に示すように、例えば、一対の搬送機構２，３により被記録媒体Ｓを搬送方向Ｙに搬送させながら、走査手段６によりキャリッジ６２を介して各液体噴射ヘッド４を走査方向Ｘに往復移動させる。この間に、各液体噴射ヘッド４の各ノズル孔からインクを吐出する。この結果、被記録媒体Ｓに、４色のインクを利用して、文字や画像等の各種情報が記録される。
【００３３】
（支持プレート）
ここで、液体噴射ヘッド４のヘッドチップ７０には、支持プレート７２が設けられている。この支持プレート７２を介し、キャリッジ６２に液体噴射ヘッド４が固定される。
支持プレート７２は、ヘッドチップ７０の周囲からＸ−Ｙ平面に沿って張り出すように形成されＹ方向に長い長方形状のプレート本体７３を有している。プレート本体７３のＹ方向一端には、第１係合部７４が延出形成されている。また、プレート本体７３のＹ方向他端には、第２係合部７５が延出形成されている。
【００３４】
これら第１係合部７４および第２係合部７５は、キャリッジ６２と支持プレート７２（液体噴射ヘッド４）との位置決めを行い、且つキャリッジ６２に支持プレート７２を固定するためのものである。
第１係合部７４は、プレート本体７３のＹ方向一端で、且つＸ方向略中央から括れ部７６を介して略円環状の頭部７７がＹ方向一方に向かって延出した構成になっている。頭部７７は、外周面７７ａがプレート本体７３の厚さ方向に沿う直線Ｌ１を中心とする円形状となるように形成されている。また、頭部７７は、内周面７７ｂがＹ方向に沿って若干長い長円形状となるように形成されている。
【００３５】
内周面７７ｂは、キャリッジ６２と支持プレート７２との相対位置を決定するための係合部側第１基準孔８１として機能している。内周面７７ｂは、キャリッジ６２に液体噴射ヘッド４を取り付けた状態で、Ｚ方向からみて後述のベースプレート（ベース部）１０のベース側第１基準孔１２とほぼ同じ位置になる。また、内周面７７ｂの幅は、ベース側第１基準孔１２の孔径とほぼ同一に設定されている。さらに、内周面７７ｂの長さは、ベース側第１基準孔１２の孔径よりも若干大きくなるように設定されている。なお、以下の説明では、内周面７７ｂを係合部側第１基準孔８１と称して説明する。
【００３６】
一方、第２係合部７５は、プレート本体７３のＹ方向他端で、且つＸ方向略中央からＹ方向他方に向かって延出形成されている。また、第２係合部７５は、Ｙ方向に長い略長方形状に形成されている。さらに、第２係合部７５には、２つの貫通孔７８，７９がＹ方向に沿って並んで形成されている。第２係合部７５のＹ方向他方側の貫通孔７８は、後述のネジ９１が挿通されるネジ孔として機能する。
【００３７】
２つの貫通孔７８，７９のうち、もう一方の貫通孔７９は、キャリッジ６２と支持プレート７２との相対位置を決定するための係合部側第２基準孔８２として機能している。貫通孔７９は、キャリッジ６２に液体噴射ヘッド４を取り付けた状態で、Ｚ方向からみてベースプレート１０のベース側第２基準孔１４とほぼ同じ位置になる。また、貫通孔７９の孔径は、ベース側第２基準孔１４の孔径とほぼ同一に設定されている。なお、以下の説明では、貫通孔７９を係合部側第２基準孔８２と称して説明する。
【００３８】
（キャリッジ）
図４は、キャリッジ６２のベースプレート１０の斜視図である。
図２、図４に示すように、キャリッジ６２は、ベースプレート１０を有している。このベースプレート１０が、一対のガイドレール６０，６１に摺動可能に連結されていると共に、無端ベルト６６（何れも図１参照）に連結されている。
ベースプレート１０には、Ｙ方向に長い略長方形状の複数（例えば、本実施形態では４つ）の取付開口部１１がＸ方向に並んで形成されている。取付開口部１１は、ヘッドチップ７０の外周面の形状よりも若干大きくなる程度に形成されている。
【００３９】
そして、各取付開口部１１には、各液体噴射ヘッド４のヘッドチップ７０がＺ方向上方から挿入される。すなわち、各液体噴射ヘッド４は、取付開口部１１に対応するように、Ｙ方向が長手方向となるように配置され、且つＸ方向に並んで配置される。
また、ベースプレート１０には、各取付開口部１１のＹ方向一方側で、且つ支持プレート７２の第１係合部７４（図３参照）に対応する位置に、それぞれベース側第１基準孔１２が形成されている。各ベース側第１基準孔１２は、第１係合部７４の第１基準孔８１とＺ方向（ベースプレート１０の厚さ方向）で重なるように配置されている。
【００４０】
さらに、各ベース側第１基準孔１２を挟んでＸ方向両側に、第１雌ネジ部１３ａが刻設されている。また、第１雌ネジ部１３ａよりもＹ方向一方側には、第２雌ネジ部１３ｂと第３雌ネジ部１３ｃのそれぞれが刻設されていると共に、これら第２雌ネジ部１３ｂと第３雌ネジ部１３ｃとの間に位置決め孔１８が形成されている。
第１雌ネジ部１３ａは、後述の固定具３０を締結固定するために用いられる。第２雌ネジ部１３ｂ、および位置決め孔１８は、後述の板バネ部５０を締結固定するために用いられる。第３雌ネジ部１３ｃは、後述の位置決めピン１１０を螺合するために用いられる。
【００４１】
また、ベースプレート１０には、Ｙ方向他方側で、且つ支持プレート７２の第２係合部７５（図３参照）に対応する位置に、雌ネジ部１７が刻設されていると共に、ベース側第２基準孔１４が形成されている。雌ネジ部１７は、Ｚ方向からみて第２係合部７５の貫通孔７８と同じ位置になるように配置されている。雌ネジ部１７は、ベースプレート１０に液体噴射ヘッド４を締結固定するために用いられる。
【００４２】
また、ベース側第２基準孔１４は、Ｚ方向からみて第２係合部７５の係合部側第２基準孔８２と同じ位置になるように配置されている。
さらに、ベースプレート１０には、雌ネジ部１７のベース側第２基準孔１４とは反対側の他方に、ベース側第３基準孔１５が形成されている。これらベース側第２基準孔１４、およびベース側第３基準孔１５の孔径と、ベース側第１基準孔１２の孔径は、全て同一寸法に設定されている。
【００４３】
また、雌ネジ部１７、ベース側第２基準孔１４、およびベース側第３基準孔１５は、Ｙ方向に沿って並んで配置されている。そして、これら雌ネジ部１７、ベース側第２基準孔１４、およびベース側第３基準孔１５を挟んでＸ方向両側に、それぞれスライド溝１６が形成されている。これらスライド溝１６は、後述の治具４０の移動方向を規制するためのものであって、Ｙ方向に沿って長く形成されている。
【００４４】
このような構成のもと、キャリッジ６２に対して支持プレート７２（液体噴射ヘッド４）を、固定具３０、治具４０、板バネ部５０、基準ピン９３、および位置決めピン１１０（図５、図９参照）を用いて位置決めを行う。そして、キャリッジ６２に対して支持プレート７２を固定し、この結果、キャリッジ６２に液体噴射ヘッド４が取り付けられる。
【００４５】
（固定具）
図５は、固定具３０を斜め上方からみた斜視図、図６は、図５のＡ矢視図、図７は、固定具３０を斜め下方からみた斜視図、図８は、固定具３０をＺ方向上方からみた平面図である。
図２、図５〜図８に示すように、固定具３０は、支持プレート７２の第１係合部７４に取り付けられている。固定具３０は、ベースプレート１０のベース側第１基準孔１２、および雌ネジ部１３を覆うように、Ｘ方向に若干長い直方体状に形成されている。
【００４６】
固定具３０のＸ方向略中央には、第１係合部７４の係合部側第１基準孔８１、およびベースプレート１０のベース側第１基準孔１２に連通する固定具側第１基準孔３１が形成されている。固定具第１基準孔３１の孔径は、第１係合部７４の係合部側第１基準孔８１の直径よりも大きく設定されている。このため、固定具第１基準孔３１を介して、第１係合部７４の係合部側第１基準孔８１、およびこの係合部側第１基準孔８１の周囲が露出する。
【００４７】
また、固定具３０のＸ方向両側、つまり、ベースプレート１０の雌ネジ部１３に対応する位置には、それぞれ第１溝部３２が形成されている。これら第１溝部３２は、雌ネジ部１３に螺入されるネジ９２を挿通可能なように、固定具３０のＸ方向両端から切り込まれて形成されている。そして、第１溝部３２は、Ｚ方向平面視で略半長円形状に形成されている。
【００４８】
ネジ９２は、いわゆる段付ネジとされている。すなわち、ネジ９２は、先端に設けられた小径軸部９２ａと、小径軸部９２ａよりも段差により拡径形成された大径軸部９２ｂと、大径軸部９２ｂの小径軸部９２ａとは反対側の基端に設けられた頭部９２ｃと、が一体成形されたものである。そして、小径軸部９２ａに雄ネジが刻設されており、大径軸部９２ｂには、雄ネジが刻設されていない。
【００４９】
一方、第１溝部３２の溝幅は、ネジ９２の大径軸部９２ｂを挿通可能で、且つ頭部９２ｃ（平ワッシャ）を挿通不能な溝幅に設定されている。詳述すると、第１溝部３２の溝幅は、ネジ９２の大径軸部９２ｂとの間に、微小な隙間を確保できる程度に設定されている。このため、図８に詳示するように、固定具３０は、ベースプレート１０に対し、Ｘ方向にスライド移動可能（図８における矢印Ｙ１参照）、且つＹ方向にスライド移動不能になっている。
【００５０】
さらに、固定具３０のＺ方向の下面３０ｂには、Ｘ方向略中央に、Ｙ方向に沿って第２溝部３３が形成されている。この第２溝部３３に、支持プレート７２の第１係合部７４が挿通される。第２溝部３３の溝幅は、第１係合部７４における頭部７７の外周面７７ａの直径とほぼ同程度に設定されている。
【００５１】
換言すれば、第２溝部３３と第１係合部７４の括れ部７６との間に隙間を確保しつつ、Ｙ方向に長い第２溝部３３に、外周面７７ａが円形状の頭部７７が嵌り込んだ形になっている。このため、図７に詳示するように、第１係合部７４（支持プレート７２）は、固定具３０に対し、Ｙ方向にスライド移動可能（図８における矢印Ｙ２参照）、且つベースプレート１０の面方向に沿って回動可能（図８における矢印Ｙ３参照）になっている。また、第１係合部７４は、固定具３０に対してＸ方向にスライド移動不能になっている。
【００５２】
さらに、固定具３０の上面３０ａには、Ｘ方向の一端側で、且つ第１溝部３２よりもＹ方向一方側に、固定具３０の角部を切除することにより形成された傾斜面３４が設けられている。また、固定具３０のＸ方向一端側で、且つＹ方向一端には、位置決め柱３５が一体成形されている。位置決め柱３５は略四角柱状に形成されており、固定具３０からＺ方向上方に向かって突出するように立設されている。
このように形成された傾斜面３４には板バネ部５０が当接される。また、位置決め柱３５には、Ｚ方向上端の角部３５ａに位置決めピン１１０が当接される。
【００５３】
（板バネ部）
板バネ部５０は、ベースプレート１０の第２雌ネジ部１３ｂ、および位置決め孔１８を覆うように、Ｘ方向に若干長い略長方形状のベース部５１を有している。ベース部５１の第２雌ネジ部１３ｂに対応する位置には、ネジ９４を挿通可能な貫通孔５１ａが形成されている。一方、ベース部５１の位置決め孔１８に対応する位置には、この位置決め孔１８に嵌合可能な位置決め凸部５１ｂが突出形成されている。
そして、ベースプレート１０の位置決め孔１８に、ベース部５１の位置決め凸部５１ｂを嵌合させつつ、ベース部５１の貫通孔５１ａに挿通したネジ９４をベースプレート１０の第２雌ネジ部１３ｂに螺合させる。これにより、ベースプレート１０に対してベース部５１が相対移動不能に締結固定される。
【００５４】
ベース部５１のＹ方向一方側の一辺には、略Ｌ字状に形成されたバネ本体５２の基端部５２ａが接合されている。バネ本体５２の基端部５２ａは、ベース部５１の一辺を立ち上げるように屈曲させることによりこのベース部５１と接合された形になっている。
一方、バネ本体５２の先端部５２ｂは、バネ本体５２の基端部５２ａから固定具３０の傾斜面３４に至るまで延出されている。先端部５２ｂには、傾斜面３４側に向かって倒れ込むように斜めに屈曲延出する押圧部５３が形成されている。この押圧部５３は、固定具３０の傾斜面３４に面接触されている。
【００５５】
ここで、バネ本体５２は、先端部５２ｂ側で固定具３０のＸ方向の一端側を、他端側へと弾性的に押圧するように形成されている。バネ本体５２の先端部５２ｂに形成された押圧部５３は、固定具３０の傾斜面３４に面接触されているので、図６に詳示するように、固定具３０のＸ方向一端側には、Ｚ方向下方に向かう押圧力Ｆ１と、Ｘ方向他端側に向かう押圧力Ｆ２とが作用する。
【００５６】
（位置決めピン）
固定具３０のＸ方向他端側には、ベースプレート１０に着脱自在に位置決めピン１１０が設けられる。
図６、図７に詳示するように、位置決めピン１１０は、板バネ部５０と協働して固定具３０のＸ方向の位置決め、および固定具３０の位置調整の際にベースプレート１０からの固定具３０の浮き上がりを防止するためのものである。位置決めピン１１０は、ベースプレート１０の第３雌ネジ部１３ｃ（図４参照）に螺入可能な雄ネジ部１１１と、雄ネジ部１１１の基端側に一体成形されたテーパ部１１２と、テーパ部１１２の基端側に一体成形された円柱状の把持部１１３と、により構成されている。
【００５７】
テーパ部１１２は、雄ネジ部１１１から把持部１１３に向かって徐々に拡径するように略円錐台状に形成されている。つまり、テーパ部１１２の外周面は位置決めピン１１０の軸方向（Ｚ方向）に対して傾斜している。また、テーパ部１１２の位置は、ベースプレート１０の第３雌ネジ部１３ｃに雄ネジ部１１１をある程度螺入させた状態で、テーパ部１１２の軸方向略中央に固定具３０の位置決め柱３５の角部３５ａが当接するように設定されている。このため、板バネ部５０によって、固定具３０がＸ方向の他端側（位置決めピン１１０側）へ弾性的に押圧されると、位置決め柱３５には、位置決めピン１１０の反力によるＺ方向下方に向かう押圧力Ｆ３と、Ｘ方向一端側に向かう押圧力Ｆ４とが作用する。
【００５８】
（治具）
図９は、キャリッジ６２に固定具３０と共に治具４０を介して液体噴射ヘッド４を取り付けた状態を示す斜視図であって、前述の図２に対応している。図１０は、治具４０を斜め上方からみた斜視図である。図１１は、治具４０を斜め下方からみた斜視図である。図１２は、治具４０をＺ方向上方からみた平面図である。
図９〜図１２に示すように、治具４０は、支持プレート７２の第２係合部７５に取り付けられている。治具４０は、ベースプレート１０の雌ネジ部１７、ベース側第２基準孔１４、およびベース側第３基準孔１５を覆うように、Ｙ方向に若干長い直方体状に形成されている。
【００５９】
治具４０のＺ方向の上面４０ａには、Ｙ方向における液体噴射ヘッド４とは反対側（他方側）に、上面側凹部４１が形成されている。この上面側凹部４１のＸ方向略中央には、支持プレート７２の第２係合部７５に治具４０を取り付けた際、ベースプレート１０のベース側第３基準孔１５に連通する治具側第３基準孔４２が形成されている。
治具側第３基準孔４２は、Ｙ方向に沿って若干長い長円形状となるように形成されている。すなわち、治具側第３基準孔４２の幅は、ベース側第３基準孔１５の孔径とほぼ同一に設定されている。さらに、治具側第３基準孔４２の長さは、ベース側第３基準孔１５の孔径よりも若干大きくなるように設定されている。
【００６０】
また、治具４０の上面側凹部４１よりも液体噴射ヘッド４側（Ｙ方向一方側）には、下面４０ｂのＸ方向略中央に、Ｙ方向に沿って下面側凹部４３が形成されている。これら上面側凹部４１と下面側凹部４３は、Ｙ方向で連通している。
また、下面側凹部４３には、支持プレート７２の第２係合部７５が挿通される。下面側凹部４３のＸ方向の幅は、第２係合部７５のＸ方向の幅よりもやや大きく設定されている。このため、図１１に詳示するように、下面側凹部４３内において、第２係合部７５の取付角度のズレ（Ｙ方向およびＸ方向の若干の移動とベースプレート１０の面方向に対する若干の回動；図１２における矢印Ｙ４参照）が許容される。
【００６１】
さらに、治具４０には、第２係合部７５の貫通孔７８に対応する位置に、貫通孔４４が形成されている。この貫通孔４４は、後述のネジ９１が挿通されるネジ孔として機能する。貫通孔４４の孔径は、第２係合部７５の貫通孔７８の孔径よりも大きく、さらにネジ９１の頭部９１ａの直径よりも大きく設定されている。このため、貫通孔４４を介して、第２係合部７５の貫通孔７８、およびこの貫通孔７８の周囲が露出する。
また、下面側凹部４３には、第２係合部７５の係合部側第２基準孔８２に対応する位置に、この係合部側第２基準孔８２に嵌合可能な凸部４６が突設されている。凸部４６は、係合部側第２基準孔８２に対し、ほぼガタつくことなく嵌合するように形成されている。これにより、支持プレート７２の第２係合部７５と治具４０とが高精度に位置決めされた状態で係合される。
【００６２】
さらに、治具４０のＸ方向両側には、これら両側全体からベースプレート１０側に向かって突出するスライド凸部４５が形成されている。これらスライド凸部４５は、ベースプレート１０のスライド溝１６に嵌り込む。このため、図１２に詳示するように、治具４０は、ベースプレート１０に対し、Ｙ方向にスライド移動可能（図１２における矢印Ｙ５参照）、且つＸ方向にスライド移動不能に取り付けられる。
【００６３】
（ベースプレートへの液体噴射ヘッドの位置調整および固定方法）
次に、ベースプレート１０への液体噴射ヘッド４の位置調整および固定方法について説明する。
【００６４】
（基準の固定方法）
まず、基準（初期）の固定作業について説明する。
図１３は、ベースプレート１０への液体噴射ヘッド４の基準の固定方法を示す斜視図である。図１４は、図１３のＢ矢視図である。
図１３、図１４に示すように、まず、液体噴射ヘッド４の支持プレート７２に設けられている第１係合部７４（図３参照）に固定具３０、および板バネ部５０をセットする。このとき、固定具３０の第２溝部３３に第１係合部７４が挿入された状態にする。
【００６５】
そして、ベースプレート１０の各取付開口部１１に、対応する液体噴射ヘッド４のヘッドチップ７０側を向け、ベースプレート１０のＺ方向上方から各取付開口部１１にヘッドチップ７０を挿入する。
続いて、ベースプレート１０のベース側第１基準孔１２（図４参照）と、第１係合部７４の係合部側第１基準孔８１と、固定具３０の固定具側第１基準孔３１との位置がＺ方向からみておおよそ同じ位置になるように、液体噴射ヘッド４の位置を粗調整する。これと同時に、ベースプレート１０のベース側第２基準孔１４と、支持プレート７２の第２係合部７５に形成されている係合部側第２基準孔８２との位置がＺ方向からみておおよそ同じ位置になるように、液体噴射ヘッド４の位置を粗調整する。
【００６６】
続いて、ベース側第１基準孔１２、係合部側第１基準孔８１、および固定具側第１基準孔３１に基準ピン９３を挿入すると共に、ベース側第２基準孔１４、および係合部側第２基準孔８２に基準ピン９３を挿入する。
【００６７】
図１５は、基準ピン９３の斜視図である。
同図に示すように、基準ピン９３は、ピン本体９３ａと、ピン本体９３ａの先端に段差部９３ｂを介して縮径形成された縮径部９３ｃと、により構成されている。
ベース側第１基準孔１２、係合部側第１基準孔８１、および固定具側第１基準孔３１では、ベース側第１基準孔１２、係合部側第１基準孔８１に、基準ピン９３の縮径部９３ｃが挿入され、固定具側第１基準孔３１にピン本体９３ａが挿入される。そして、第１係合部７４の頭部７７に、基準ピン９３の段差部９３ｂが当接される。
また、ベース側第２基準孔１４、および係合部側第２基準孔８２には、基準ピン９３の縮径部９３ｃが挿入される。そして、第２係合部７５に、基準ピン９３の段差部９３ｂが当接される。
【００６８】
基準ピン９３を挿入することにより、ベースプレート１０（キャリッジ６２）に対する支持プレート７２（液体噴射ヘッド４）の基準位置（初期位置）が決定される。この状態で、図５に示すように、固定具３０の第１溝部３２の上からネジ９２を挿入し、このネジ９２を、ベースプレート１０の第１雌ネジ部１３ａに螺入する。
また、支持プレート７２の第２係合部７５の上から貫通孔７８（図３参照）にネジ９１を挿入し、このネジ９１をベースプレート１０の雌ネジ部１７（図４参照）に螺入する。これにより、ベースプレート１０に液体噴射ヘッド４が締結固定される。そして、２つの基準ピン９３を抜去して液体噴射ヘッド４の基準の固定が完了する。
【００６９】
ところで、上記のようなベースプレート１０に対する液体噴射ヘッド４の位置決め固定は、キャリッジ６２や液体噴射ヘッド４等の各部品の製造精度によって決定される。このため、固定具３０、治具４０、板バネ部５０、基準ピン９３、および位置決めピン１１０を用いて、ベースプレート１０に対する液体噴射ヘッド４の微調整を行う。具体的には、ベースプレート１０に対する液体噴射ヘッド４（支持プレート７２）の平面方向の角度調整（以下、θ調整という）と、ベースプレート１０に対する液体噴射ヘッド４（支持プレート７２）のＹ方向の調整（以下、単にＹ方向の調整という）と、を行う。
【００７０】
（θ調整方法）
まず、ベースプレート１０に対する液体噴射ヘッド４のθ調整について説明する。
図１６は、ベースプレート１０への液体噴射ヘッド４のθ調整方法を示す説明図であって、前述の図１４に対応している。
同図に示すように、θ調整を行う際、まず、支持プレート７２に設けられている第２係合部７５の係合部側第２基準孔８２、およびベースプレート１０のベース側第２基準孔１４に、基準ピン９３を挿入する。また、ベースプレート１０の第３雌ネジ部１３ｃに位置決めピン１１０の雄ネジ部１１１を螺入する。さらに、位置決めピン１１０を取り付けたうえで、固定具３０や第２係合部７５を締結固定している各ネジ９１，９２を僅かに緩める。そして、固定具３０を仮止め状態にする。
【００７１】
この状態では、図８で示したように、ベースプレート１０に対して固定具３０をＸ方向のみにスライド移動させることができる（図８、図１６における矢印Ｙ１参照）。また、第１係合部７４（支持プレート７２）は、固定具３０に対し、Ｙ方向にスライド移動可能（図８における矢印Ｙ２参照）、且つベースプレート１０の面方向に沿って回動可能（図８における矢印Ｙ３参照）になっている。さらに、第１係合部７４は、固定具３０に対してＸ方向にスライド移動不能になっている。
このため、ベースプレート１０に対して固定具３０をスライド移動させると、固定具３０に対し、第１係合部７４が追随する形で移動しながら回動する。この結果、支持プレート７２が、第２係合部７５側の基準ピン９３を中心に回動する（図１６における矢印Ｙ６参照）。
【００７２】
ここで、図６に示したように、固定具３０のＸ方向一端側には、板バネ部５０によってＺ方向下方に向かう押圧力Ｆ１が付勢されている。また、固定具３０のＸ方向他端側（位置決め柱３５側）には、位置決めピン１１０によってＺ方向下方に向かう押圧力Ｆ３が付勢されている。このため、固定具３０を仮止め状態としても、ベースプレート１０からの固定具３０の浮き上がりが防止される。つまり、固定具３０のＺ方向の位置決め（ベースプレート１０の厚さ方向の位置決め）が行われたままの状態になっている。
【００７３】
また、位置決めピン１１０のテーパ部１１２に、固定具３０の位置決め柱３５のＺ方向上端の角部３５ａが当接されている。さらに、板バネ部５０によって、位置決めピン１１０側に向かって固定具３０が弾性的に押圧されている。このため、位置決めピン１１０をベースプレート１０に対して締め込んだり緩めたりすると、固定具３０のＸ方向の位置が変化する。
【００７４】
より具体的には、ベースプレート１０に位置決めピン１１０を締め込むと、テーパ部１１２に対する位置決め柱３５の角部３５ａの当接位置がＺ方向上部にずれる。すると、板バネ部５０のバネ力に抗して固定具３０がＸ方向一方側（図６における左側）へとずれる。
これに対し、ベースプレート１０から位置決めピン１１０を緩めると、テーパ部１１２に対する位置決め柱３５の角部３５ａの当接位置が、板バネ部５０によって弾性的に押圧されながらＺ方向下部にずれる。すると固定具３０がＸ方向他方側（図６における右側）へとずれる。
【００７５】
このように、位置決めピン１１０を利用して固定具３０のＸ方向の位置を調整しつつ、θ調整が行われる。θ調整を行った後、再び各ネジ９１，９２を増し締めすることにより、ベースプレート１０に液体噴射ヘッド４が締結固定される。
ここで、板バネ部５０や位置決めピン１１０によって、固定具３０の仮止め状態のときのベースプレート１０からの固定具３０の浮き上がりが防止されている。つまり、固定具３０（支持プレート７２）のＺ方向の位置決め（支持プレート７２におけるベースプレート１０の厚さ方向の位置決め）が行われた状態になっている。このため、各ネジ９１，９２を増し締めた際も固定具３０の位置が微妙にずれてしまうことがない。
【００７６】
すなわち、固定具３０が仮止め状態のときにベースプレート１０から固定具３０が僅かに浮き上がってしまうと、浮き上がる前と比較して固定具３０の位置が微妙にずれてしまう。このような場合、固定具３０が浮き上がった状態のままで位置調整をしても、各ネジ９１，９２を増し締め際に固定具３０が微妙にずれてしまうので、結局固定具３０を高精度に位置決めさせることが困難である。しかしながら、板バネ部５０や位置決めピン１１０によって、固定具３０の仮止め状態のときのベースプレート１０からの固定具３０の浮き上がりを防止する（固定具３０のＺ方向の位置決めを行ったままとする）ことにより、各ネジ９１，９２を増し締めた際も固定具３０の位置が微妙にずれてしまうことがない。
【００７７】
各ネジ９１，９２を増し締めした後、ベースプレート１０から位置決めピン１１０を取り外す。一方、固定具３０、および板バネ部５０は、ベースプレート１０に取り付けたままの状態にする。これにより、θ調整が完了する。なお、以下のＹ方向の調整が完了するまで、位置決めピン１１０を取り付けたままの状態としてもよい。
【００７８】
（Ｙ方向の調整）
次に、ベースプレート１０に対する液体噴射ヘッド４のＹ方向（ノズルプレートの長手方向）の調整について説明する。
図１７は、ベースプレート１０への液体噴射ヘッド４のＹ方向の調整方法を示す説明図であって、前述の図１４に対応している。
【００７９】
同図に示すように、Ｙ方向の調整を行う際、まず、支持プレート７２の第２係合部７５に治具４０をセットする。このとき、治具４０の下面側凹部４３に第２係合部７５が挿入された状態にする。また、治具４０に形成されている貫通孔４４（図１０参照）は、ネジ９１の頭部９１ａの直径よりも大きく設定されているので、ネジ９１が締結された第２係合部７５の上から治具４０をセットできる。さらに、第２係合部７５の係合部側第２基準孔８２に、治具４０の凸部４６を嵌合させる。
【００８０】
また、この治具４０のセットと同時にネジ９１を僅かに緩め、ガタつかない程度の仮止め状態にする。さらに、先のθ調整方法でネジ９２を増し締めしたことにより、支持プレート７２がＹ方向に移動しない状態である場合は、ネジ９１だけでなくネジ９２を僅かに緩める。この際、位置決めピン１１０を取り付けておけば、ベースプレート１０に対する固定具３０の浮き上がり、Ｘ方向へのずれを防止できる。この状態で、図９、図１７に示すように、ベースプレート１０のベース側第３基準孔１５、および治具４０の治具側第３基準孔４２に、基準ピン９３を挿入する。
【００８１】
ここで、図１０、図１２に詳示するように、治具側第３基準孔４２のＸ方向の幅は、ベース側第３基準孔１５の孔径とほぼ同一に設定されている。さらに、治具側第３基準孔４２のＹ方向の長さは、ベース側第３基準孔１５の孔径よりも若干大きくなるように設定されている。
また、治具４０のＸ方向両側には、これら両側全体からベースプレート１０側に向かって突出するスライド凸部４５が形成されている。そして、治具４０は、ベースプレート１０に対し、Ｙ方向にスライド移動可能（図１２における矢印Ｙ５参照）、且つＸ方向にスライド移動不能に取り付けられる。
しかも、固定具３０側では、この固定具３０に対して第１係合部７４がＹ方向にスライド移動可能（図８における矢印Ｙ２参照）に保持されている。
【００８２】
このため、θ調整を完了させたままの状態で、ベースプレート１０に対して治具４０を、Ｙ方向に沿ってスライド移動させることができる。つまり、治具４０をＹ方向に沿ってスライド移動させることにより、この治具４０に係合された支持プレート７２（液体噴射ヘッド４）を、θ調整、およびＺ方向の位置決めを完了させたままの状態で、ベースプレート１０に対してＹ方向に沿ってスライド移動させることができる。これにより、Ｙ方向の調整が行われる。Ｙ方向の調整を行った後、再びネジ９１（必要に応じてネジ９２も含む）を増し締めすることにより、ベースプレート１０に液体噴射ヘッド４が締結固定され、Ｙ方向の調整が完了する。
なお、ベースプレート１０に対する液体噴射ヘッド４のＸ方向の調整は、特に行なう必要がない。これは、各液体噴射ヘッド４のＸ方向の間隔のズレによる被記録媒体Ｓへの画像や文字の品質の影響は、インクの吐出タイミングを調整することで解消できるからである。
【００８３】
このように、上記実施形態では、液体噴射ヘッド４に支持プレート７２を設け、この支持プレート７２を介し、キャリッジ６２のベースプレート１０に液体噴射ヘッド４を取り付けるように構成している。そして、支持プレート７２のＹ方向一端側に第１係合部７４を設けている。この第１係合部７４を、固定具３０を用いてベースプレート１０側に押え付けることで、ベースプレート１０に固定している。
さらに、固定具３０は、ベースプレート１０に対してＸ方向にスライド移動可能に設けられている。そして、固定具３０に対し、第１係合部７４がＹ方向にスライド移動可能に設けられている。これに加え、ベースプレート１０に対して固定具３０をＸ方向にスライド移動させる際は、板バネ部５０と位置決めピン１１０によって固定具３０のＺ方向の位置決め（液体噴射ヘッド４のＺ方向の位置決め）を行ったままの状態で固定具３０をＸ方向にスライド移動させることができる。
【００８４】
つまり、２方向の位置決め状態を維持しつつ、液体噴射ヘッド４のもう１方向の位置決めを行うことができる。より具体的には、θ調整であれば、液体噴射ヘッド４のＹ方向とＺ方向の２方向の位置を維持しつつ行うことができる。また、Ｙ方向の調整であれば、液体噴射ヘッド４のθ方向（Ｘ方向）とＺ方向の２方向の位置を維持しつつ行うことができる。
このため、簡素な構造でありながら、液体噴射ヘッド４の位置決めを、容易且つ高精度に行うことができる。
【００８５】
また、固定具３０のＸ方向の位置決めを行うにあたり、位置決めピン１１０と、この位置決めピン１１０側に向かって弾性的に押圧する板バネ部５０（バネ本体５２の先端部５２ｂおよび押圧部５３）と、を用いている。そして、位置決めピン１１０にテーパ部１１２を設け、このテーパ部１１２に固定具３０における位置決め柱３５の角部３５ａを当接させている。
このため、ベースプレート１０に対して位置決めピン１１０を締め付けたり緩めたりするだけで固定具３０のＸ方向の位置決めを行うことができる。このため、位置決めピン１１０の構造を簡素化しつつ、固定具３０のＸ方向の位置決めを容易に行うことができる。
【００８６】
また、固定具３０の角部を切除することにより形成された傾斜面３４を設けると共に、板バネ部５０の先端部５２ｂに、傾斜面３４に面接触する押圧部５３を形成している。このため、板バネ部５０の形状を簡素化しつつ、固定具３０のＸ方向一端側に、Ｚ方向下方に向かう押圧力Ｆ１と、Ｘ方向他端側に向かう押圧力Ｆ２との２つの押圧力を発生させている。このため、板バネ部５０の製造コスト、さらには、キャリッジ６２の製造コストを低減できる。
【００８７】
なお、本発明は上述の実施形態に限られるものではなく、本発明の趣旨を逸脱しない範囲において、上述の実施形態に種々の変更を加えたものを含む。
【００８８】
例えば、板バネ部５０の形状、位置決めピン１１０の形状は、上記に限られるものではない。少なくとも固定具３０を仮止め状態とした際（ネジ９２を僅かに緩めた状態の際）に、固定具３０のベースプレート１０からの浮き上がりを防止できる構造であればよい。例えば、固定具３０をＺ方向上方から押え付けるだけのバネ部材を設けるだけでもよい。また、このバネ部材とは別に、固定具３０を位置決めピン１１０側に押圧するバネ部材を設けてもよい。さらに、このような場合、位置決めピン１１０にテーパ部１１２を形成しなくてもよい。
【００８９】
また、上述の実施形態では、固定具３０は、ネジ９２を挿通可能な第１溝部３２と、第１係合部７４を受け入れる第２溝部３３と、を有している場合について説明した。しかしながら、これに限られるものではなく、ベースプレート１０に対して固定具３０がＸ方向にスライド移動可能、且つ固定具３０に対して支持プレート７２がＹ方向にスライド移動可能に構成されていると共に、ベースプレート１０の面方向に回動可能に構成されていればよい。
【００９０】
さらに、上述の実施形態では、ベースプレート１０にＹ方向に沿って延びるスライド溝１６を形成する一方、治具４０にスライド溝１６内をスライド移動可能に嵌るスライド凸部４５を形成する場合について説明した。しかしながら、これに限られるものではなく、治具４０にスライド溝１６を形成する一方、ベースプレート１０にスライド凸部４５を形成してもよい。
【００９１】
また、上述の実施形態では、治具４０を用いてキャリッジ６２（ベースプレート１０）に対する液体噴射ヘッド４（支持プレート７２）のＹ方向の調整を行う場合について説明した。しかしながら、治具４０に代わって、ガイド等を用いて支持プレート７２（液体噴射ヘッド４）をＹ方向にスライド移動させるように構成してもよい。また、支持プレート７２の第２係合部７５に形成されている貫通孔４４の形状を変更し、この貫通孔４４とネジ９１の頭部９１ａとによって、支持プレート７２をＹ方向にスライド移動させるように構成してもよい。
【００９２】
さらに、上述の実施形態では、キャリッジ６２（ベースプレート１０）に対する液体噴射ヘッド４（支持プレート７２）の位置決めを行うにあたって、まずθ調整を行い、その後、Ｙ方向の調整を行う場合について説明した。しかしながら、これに限られるものではなく、θ調整とＹ方向の調整の順番を逆に行ってもよい。
【００９３】
また、上述の実施形態では、ベースプレート１０に固定具３０を固定するにあたって、ネジ９２を用いて固定具３０を締結固定する場合について説明した。しかしながら、これに限られるものではなく、ベースプレート１０に対して着脱可能であれば、ネジ９２以外の固定部材を用いてベースプレート１０に固定具３０を固定してもよい。
さらに、液体噴射記録装置１の一例として、インクジェットプリンタを例に挙げて説明したが、これに限られるものではない。例えば、ファックスやオンデマンド印刷機等であっても構わない。
【００９４】
また、上述の実施形態では、液体噴射ヘッド４が複数搭載された複数色用の液体噴射記録装置１について説明したが、これに限られるものではない。例えば、液体噴射ヘッド４が一つの単色用のプリンタとしても構わない。
キャリッジ６２（ベースプレート１０）の形状も、液体噴射ヘッド４の個数に応じて変化させればよい。つまり、ベースプレート１０の取付開口部１１、およびこの取付開口部１１に対応して形成されるスライド溝１６等、液体噴射ヘッド４の個数に応じて変化する。
【符号の説明】
【００９５】
１…液体噴射記録装置、４…液体噴射ヘッド、６…走査手段、１０…ベースプレート（ベース部）、２５…液体収容体、２６…液体供給管、３０…固定具、３４…傾斜面、３５…位置決め柱、３５ａ…角部、５０…板バネ部、５２…バネ本体、５３…押圧部（第１押圧部、第２押圧部）、６２…キャリッジ、７２…支持プレート、７４…第１係合部、９２…ネジ（固定部材）、１１０…位置決めピン、１１１…雄ネジ部（ピンネジ部）、１１２…テーパ部
【図１】
0006639318.tif 000002
【図２】
0006639318.tif 000003
【図３】
0006639318.tif 000004
【図４】
0006639318.tif 000005
【図５】
0006639318.tif 000006
【図６】
0006639318.tif 000007
【図７】
0006639318.tif 000008
【図８】
0006639318.tif 000009
【図９】
0006639318.tif 000010
【図１０】
0006639318.tif 000011
【図１１】
0006639318.tif 000012
【図１２】
0006639318.tif 000013
【図１３】
0006639318.tif 000014
【図１４】
0006639318.tif 000015
【図１５】
0006639318.tif 000016
【図１６】
0006639318.tif 000017
【図１７】
0006639318.tif 000018